(57)【要約】【課題】流体の流量を簡便に高精度かつ高いレンジアビリティで計測することができる流量計測方法およびそれに用いる整圧器を提供することにある。【解決手段】メインガバナ３０の本体３１に、開口部３３Ａ，３３Ｂとの間の領域Ａに向かうようにマイクロホンが配設されている。マイクロホンは、弁体３４Ａ，３４Ｂと開口部３３Ａ，３３Ｂとの間をガスが通過することにより発生する音波の音圧レベルを検出してマイクロコンピュータに出力する。また、圧力センサが１次圧力を検出してマイクロコンピュータに出力する。マイクロコンピュータはマイクロホンにより検出された音波の周波数および音圧レベルと、圧力センサにより検出された１次圧力とに基づき、上流側管路１０内を流れるガスの流量を演算し、その演算値が表示部に表示される。【選択図】        図１
2004191103.tif 000002
【特許請求の範囲】
【請求項１】
上流側管路と下流側管路との間に設けられ、前記下流側管路内の流体の圧力を調整する整圧部と、
この整圧部を流体が通過することにより発生する音波を検出する音波検出手段と
を備えたことを特徴とする整圧器。
【請求項２】
前記整圧部は、流体の流路を形成する本体と、この本体内に設けられた開度が変化可能な弁体とを備えており、
前記音波検出手段は前記本体に配設されている
ことを特徴とする請求項１記載の整圧器。
【請求項３】
前記本体は取り外し可能な蓋体を備えており、
前記音波検出手段は前記蓋体に配設されている
ことを特徴とする請求項２記載の整圧器。
【請求項４】
更に、前記音波検出手段により検出された音波の音圧レベルに基づいて流体の流量を演算する流量演算手段を備えた
ことを特徴とする請求項１ないし請求項３のいずれか１項に記載の整圧器。
【請求項５】
前記流量演算手段は、予め求められた、前記整圧部を流体が通過することにより発生する音波の音圧レベルと流体の流量との相関関係に基づき、前記音波検出手段により検出された音波の音圧レベルを流量に換算するものである
ことを特徴とする請求項４記載の整圧器。
【請求項６】
前記流量演算手段は、前記整圧部を流体が通過することにより発生する音波の周波数毎に予め求められた、前記上流側管路内の流体の圧力と、前記音波の音圧レベルと、流体の流量との相関関係に基づき、前記音波検出手段により検出された音波の音圧レベルを流量に換算するものである
ことを特徴とする請求項５記載の整圧器。
【請求項７】
上流側管路と下流側管路との間に設けられ、前記下流側管路内の流体の圧力を調整する整圧器の内部を流体が通過することにより発生する音波を検出すると共に、前記検出した音波の音圧レベルに基づき流体の流量を演算する
ことを特徴とする流量計測方法。
【請求項８】
予め求められた、前記整圧器を流体が通過することにより発生する音波の音圧レベルと流体の流量との相関関係に基づき、前記検出した音波の音圧レベルを流体の流量に換算する
ことを特徴とする請求項７記載の流量計測方法。
【請求項９】
前記整圧器を流体が通過することにより発生する音波の周波数毎に予め求められた、前記上流側管路内の流体の圧力と、前記音波の音圧レベルと、流体の流量との相関関係に基づき、前記検出した音波の音圧レベルを流体の流量に換算する
ことを特徴とする請求項７または請求項８に記載の流量計測方法。
【請求項１０】
前記整圧器は、流体の流路を形成する本体と、この本体内に設けられ、開度が変化可能な弁体とを備えたものであり、
音波検出手段を前記本体に配設し、前記音波検出手段により音波を検出する
ことを特徴とする請求項７ないし請求項９のいずれか１項に記載の流量計測方法。
【請求項１１】
前記整圧器は、前記本体に取り外し可能な蓋体を備えたものであり、前記蓋体に前記音波検出手段を配設させる
ことを特徴とする請求項１０記載の流量計測方法。
【発明の詳細な説明】
【０００１】
【発明の属する技術分野】
本発明は、都市ガス供給系統等に用いられる整圧器およびこれを用いた流量計測方法に関する。
【０００２】
【従来の技術】
従来より、都市ガス供給系統におけるガス導管内を流れるガスの流量を計測するには種々の流量計測装置が利用されている。流量計測装置には、大別して、いわゆる取引メータと、管理用の流量計測装置との２種類がある。管理用の流量計測装置としては、例えば、オリフィスや絞り弁によって発生させた圧力損失から流量を計測する差圧式のもの、流体に超音波などの音波をその流動方向に伝播させてその伝播時間から流量を計測するもの（例えば、特許文献１参照。）、ホイッスル式の発信装置から流体に音波を流体の流動方向に発信し、その大きさあるいは音色から流量を計測するもの（例えば、特許文献２参照）、流体に渦発生体を挿入しその渦発生体が発生するカルマン渦の発生周波数から流量を計測するカルマン渦式のもの、あるいは、整圧器（ガバナ，レギュレータ）を利用し、整圧器において予め求めた１次圧力，２次圧力，ローディング圧力あるいは弁開度等と流量との関係から流量を推定するもの（例えば、特許文献３，特許文献４参照。）がある。中でも、レイノルド式ガバナではレバーの高さ（基準点の変位）から弁開度を推定し、予め求められた弁開度と流量との相関関係から流量を推定するいわゆる光開度計（特許文献３参照）といわれるものが広く用いられている。
【０００３】
【特許文献１】
特開２００１−２５５１８６号公報
【特許文献２】
特開平８−１４９５８号公報
【特許文献３】
特開平８−３０３７５１号公報
【特許文献４】
特許第２５０１１１３号明細書
【０００４】
【発明が解決しようとする課題】
しかしながら、上記のような従来の流量計測装置では種々の問題がある。例えば、高精度で流量を計測可能なものは、一般に高価であると共に、既設導管に配設する際に場合によっては配管直しが必要であり、手間と高額の工事費とを必要とする。また、配管に大規模な改造を必要としない流量計測装置は、計測精度，再現性あるいはレンジアビリティが低い。更に具体的に言えば、取引メータは、流体の体積を実際に測定するため、高精度の計測が可能であるが、高価であると共に圧力損失が大きい。また、超音波の伝播時間から流量をするものは図７に示したように、また、音の大きさあるいは音色から流量を計測するものは図８に示したように、管路１１０，２１０内を流れる流体の流動方向Ｘに音波を送信する送信装置１２０，２２０、および、音波を受信する受信装置１３０，２３０がそれぞれ必要となるため高価となり、特に、後者は管路２１０内に発信装置２２０を挿入するため圧力損失も生じてしまう。
【０００５】
更に、光開度計は、実験室レベルでは高精度の流量推定が可能であるという報告もあるが、導管網解析システムの解析値と差異があることから、実用運用上は大きな推定誤差があると考えられる。なお、この推定誤差は次の３つの原因に起因すると考えられる。第１の原因は、整圧器の分解，調整あるいは弁閉塞時のシートへの刃先食い込み等により基準点がずれやすいことであり、第２の原因は、スリット構造による分解能に起因してレンジアビリティが低いことである。レンジアビリティが低いと、低流量領域では流量が零と推定される場合がある。実際に、最大流量が５００ｍ３  ／ｈ未満のレイノルド式ガバナも多いので、多くのレイノルド式ガバナで推定流量に大きな誤差が生じている可能性がある。第３の原因は、微妙な弁開度の変化で流量が大きく変化してしまうことである。
【０００６】
本発明はかかる問題点に鑑みてなされたもので、その第１の目的は、流体の流量を簡便に高精度かつ高いレンジアビリティで計測することができる流量計測方法およびそれに用いる整圧器を提供することにある。
【０００７】
また、第２の目的は、経済性に優れた流量計測方法およびそれに用いる整圧器を提供することにある。
【０００８】
【課題を解決するための手段】
本発明による整圧器は、上流側管路と下流側管路との間に設けられ、下流側管路内の流体の圧力を調整する整圧部と、この整圧部を流体が通過することにより発生する音波を検出する音波検出手段とを備えたものであり、整圧部により圧力調整がなされると共に、整圧部を流体が通過することにより発生する音波が音波検出手段により検出される。
【０００９】
整圧部は、具体的には、流体の流路を形成する本体と、この本体内に設けられた開度が変化可能な弁体とを備えており、マイクロホンなどの音波検出手段はこの本体に配設されてもよく、あるいは本体に取り外し可能な蓋体を設け、この蓋体に配設させるようにしてもよい。
【００１０】
本発明による整圧器は、更に、音波検出手段により検出された音波の音圧レベルに基づいて流体の流量を演算する流量演算手段を備えていてもよい。流量演算手段は、具体的には、予め求められた、整圧部を流体が通過することにより発生する音波の音圧レベルと流体の流量との相関関係に基づき、音波検出手段により検出された音波の音圧レベルを流量に換算するものであり、特に、整圧部を流体が通過することにより発生する音波の周波数毎に予め求められた、上流側管路内の流体の圧力と、上記音波の音圧レベルと、流体の流量との相関関係に基づき、音波検出手段により検出された音波の音圧レベルを流量に換算するように構成されていることが好ましい。
【００１１】
本発明による流量計測方法は、上流側管路と下流側管路との間に設けられ、下流側管路内の流体の圧力を調整する整圧器の内部を流体が通過することにより発生する音波を検出すると共に、検出した音波の音圧レベルに基づき流体の流量を演算するようにしたものである。
【００１２】
本発明による流量計測方法では、整圧器の内部を流体が通過することにより発生する音波の音圧レベルが検出され、その音圧レベルに基づいて流量が演算される。
【００１３】
本発明による流量計測方法は、具体的には、予め求められた、整圧器を流体が通過することにより発生する音波の音圧レベルと流体の流量との相関関係に基づき、検出した音波の音圧レベルを流体の流量に換算するようにしたものであり、特に、整圧器を流体が通過することにより発生する音波の周波数毎に予め求められた、上流側管路内の流体の圧力と、上記音波の音圧レベルと、流体の流量との相関関係に基づき、検出した音波の音圧レベルを流体の流量に換算するようにすることが好ましい。
【００１４】
本方法においても、音圧レベルは、マイクロホン等を整圧器の本体、あるいは本体に設けられた蓋体に取り付けて検出することができる。
【００１５】
【発明の実施の形態】
以下、本発明の実施の形態について図面を参照して詳細に説明する。
【００１６】
まず、図１〜図６を参照して、本発明の一実施の形態に係る整圧器について説明する。なお、本発明の流量計測方法は本実施の形態に係る整圧器の動作等により具現化されるので、以下併せて説明する。
【００１７】
図１は、本発明の一実施の形態に係る整圧器の要部構成を表すものである。この整圧器は、ガス製造工場から輸送されてきたガスを減圧して需要者に供給するものであり、例えば、上流側（１次側）管路１０と下流側（２次側）管路２０との間にメインガバナ３０を備えている。このメインガバナ３０は、下流側管路２０内の圧力（以下、２次圧力という。）を調整するものであり、ガスの流路を形成する本体３１と、この本体３１上に設けられ、後述の弁体３４Ａ，３４Ｂの開閉に寄与するトップボール３２とを備えている。本体３１は、ガスを受け入れる上流側の入口部３１Ａとガスを排出する下流側の出口部３１Ｂとを有し、この入口部３１Ａから出口部３１Ｂまでの間にガスの流路が形成されている。本体３１内には、ガスの流路を上流側と下流側とに分割する隔壁３３が設けられている。この隔壁３３には、一対の開口部３３Ａ，３３Ｂが設けられ、本体３１内には、また、この開口部３３Ａ，３３Ｂを閉塞可能な一対の弁体３４Ａ，３４Ｂが設けられている。弁体３４Ａ，３４Ｂには弁棒３５が接続されており、この弁棒３５はトップボール３２の図示しないダイヤフラムおよびレバー３６を介して図示しないオキジャリーボールのダイヤフラムに接続されている。これにより、弁体３４Ａ，３４Ｂは、トップボール３２のダイヤフラムおよびオキジャリーボールのダイヤフラムの動きに連動し、開度が変化可能になっている。
【００１８】
この整圧器は、図２に示したように、更に、メインガバナ３０をガスが通過することにより発生する音波を検出する音波検出手段としてのマイクロホン４０と、上流側管路１０内のガスの圧力（以下、１次圧力という。）を検出する１次圧力検出手段としての圧力センサ５０と、マイクロホン４０により検出された音波の周波数および音圧レベルと、圧力センサ５０により検出された１次圧力とに基づき、ガスの流量を演算する流量演算手段としてのマイクロコンピュータ６０と、このマイクロコンピュータ６０で得られた流量を表示する表示部７０とを備えている。すなわち、本実施の形態に係る整圧器は、流量計測装置としても機能するようになっている。
【００１９】
マイクロホン４０は、例えば図３に示したようにメインガバナ３０の本体３１に配設されている。より具体的には、本体３１は、取り外し可能なメンテナンス用の蓋体３１Ｃを備えており、この蓋体３１Ｃに穴３１Ｄを設けこの穴３１Ｄに挿入することにより、音波を検出する検出部位が、図１に示した開口部３３Ａ，３３Ｂとの間の領域Ａに向かうように配設されている。圧力センサ５０は、図１に示したように、上流側管路１０の所定の位置に配設されている。
【００２０】
ここで、メインガバナ３０をガスが通過することにより発生する音波の音圧レベルとガスの流量との相関関係について説明する。通常、ガスを始めとする流体が管路内を流れると音波が発生し、その音波の音圧レベルは流体の流量の増大に伴い増大する傾向がある。その傾向は、直管よりもベンド管，レジューサあるいはチーズ等の流体の流れが変化する異形管で顕著であり、更には、流路を絞る等により圧力を減圧させた場合に特に顕著である。メインガバナ３０、具体的にはメインガバナ３０の弁体３４Ａ，３４Ｂと開口部３３Ａ，３３Ｂとの間においてもこの傾向が顕著に見られる。そこで、本発明者らは、流体として空気を用い、メインガバナ３０を流体が通過することにより発生する音波の音圧レベルが、上流側管路１０内の流体の体積流量に応じてどのように変化するかを検証した。その結果、図４に示したように、メインガバナ３０を流体が通過することにより発生する音波の音圧レベルＰと流体の流量Ｑとの間には相関関係があり、音圧レベルＰは流量Ｑの増大に伴い増大し、低流量域ほどその増大の割合が大きく、微小な流量Ｑの違いでも音圧レベルＰには大きな違いが生じることが確認された。また、音圧レベルＰは同じ流量Ｑでも、図５に示したように１次圧力が異なると変化し、更に、図６に示したように、検出される音波の周波数Ｆによっても変化することが分かった。なお、図４および図５には、１，０２５Ｈｚ〜１，１２５Ｈｚの周波数帯域における音圧レベルＰを示した。
【００２１】
本実施の形態では、図５に示したような周波数毎の、１次圧力と音圧レベルＰと流量Ｑとの相関関係を予め求め、これをＲＯＭ（Ｒｅａｄ  Ｏｎｌｙ  Ｍｅｍｏｒｙ；読取り専用記憶装置）等の記憶部６０Ａ（図２）に格納させておくものである。すなわち、マイクロコンピュータ６０は、記憶部６０Ａに格納された関係式に基づき、マイクロホン４０により検出された音圧レベルＰをガスの流量Ｑに換算するようになっている。
【００２２】
次に、図１および図２を参照して、この整圧器の作用について説明する。
【００２３】
この整圧器では、需要家によるガスの消費量が一定である場合には、メインガバナ３０の弁体３４Ａ，３４Ｂの開度が一定に保持され、一定量のガスが上流側管路１０から下流側管路２０へと送出される。
【００２４】
一方、需要家によるガスの消費量の増減により２次圧力が変動すると、図示しないが、オキジャリーボール内のダイヤフラムおよびトップボール３２内のダイヤフラムが上昇または下降し、それに応じて、弁体３４Ａ，３４Ｂの開度が変化する。これにより、上流側管路１０から下流側管路２０へのガスの流量が調整され２次圧力が設定値に回復される。
【００２５】
また、この整圧器では、図２に示したようにマイクロホン４０がメインガバナ３０内の弁体３４Ａ，３４Ｂと開口部３３Ａ，３３Ｂとの間をガスが通過することにより発生する音波を検出し、その検出信号をマイクロコンピュータ６０に出力する。一方、圧力センサ５０が１次圧力を検出し、その圧力信号をマイクロコンピュータ６０に出力する。マイクロコンピュータ６０は、マイクロホン４０により検出された音波の周波数毎の音圧レベルＰを求め、この周波数毎の音圧レベルＰと、圧力センサ５０により検出された１次圧力との関係に基づいてガスの流量Ｑを演算し、その演算値を表示部７０に表示させる。
【００２６】
このように本実施の形態では、マイクロホン４０を備えるようにしたので、２次圧力を調整するだけでなく、マイクロホン４０によりメインガバナ３０の弁体３４Ａ，３４Ｂと開口部３３Ａ，３３Ｂとの間をガスが通過することにより発生する音波の音圧レベルＰを用いることにより簡便に流量計測を行うこともできる。
【００２７】
また、周波数毎に予め求められた、１次圧力と、メインガバナ３０をガスが通過することにより発生する音波の音圧レベルＰと、ガスの流量Ｑとの相関関係に基づき、マイクロホン４０により検出された音波の音圧レベルＰを流量に換算するようにしたので、低流量域から高流量域の流量Ｑを計測することができ、特に、低流量域の流量Ｑを高精度に計測することができる。また、従来の光開度計のように、整圧器の分解，調整あるいは弁閉塞時のシートへの刃先食い込み等の影響を受けることがないため、より高精度に流量Ｑを計測することができる。すなわち、高精度かつ高いレンジアビリティでガスの流量Ｑを計測することができる。
【００２８】
更に、マイクロホン４０を取り外し可能な蓋体３１Ｃに配設するようにしたので、圧力損失を発生させずに流体の流量を計測することができる。また、配管直し等の大幅な工事費が不要なため経済性にも優れている。
【００２９】
以上、本発明の実施の形態について説明したが、本発明は上記の実施の形態に限定されるものではなく、種々の変形が可能である。例えば、上記実施の形態では、マイクロホン４０により検出された音波の周波数Ｆおよび音圧レベルＰと、圧力センサ５０により検出された１次圧力とに基づき流量Ｑを演算するようにしたが、特に、高精度の流量計測が要求されるものでなければ、音波検出手段により検出された音圧レベルのみに基づき流量Ｑを演算するようにしてもよい。
【００３０】
また、上記実施の形態では、マイクロホン４０を蓋体３１Ｃに配設してメインガバナ３０の内部から弁体３４Ａ，３４Ｂと開口部３３Ａ，３３Ｂとの間をガスが通過することにより発生する音波を直接検出するようにしたが、蓋体ではなくフィルターなどの他の箇所に配設して検出してもよく、更には、メインガバナの外部から本体の振動による音波として検出してもよく、ガバナ室内から発生する音波として検出してもよい。
【００３１】
更に、上記実施の形態では、メインガバナ３０の弁体部分をガスが通過することにより発生する音波を検出するようにしたが、ガスの流量の増大に伴い音波を発生させるもの、例えば棒状部材を管路内に挿入し、そこで発生する音波を検出するようにしてもよい。
【００３２】
加えて、上記実施の形態では、整圧器にマイクロコンピュータ６０および表示部７０を設け、整圧器においてガスの流量Ｑを得るようにしたが、マイクロコンピュータ６０および表示部７０は必ずしも設ける必要はなく、例えば、現場にパーソナルコンピュータ等を持参し、そのパーソナルコンピュータ等によりガスの流量を得るようにしてもよい。また、マイクロホンにより検出された音波や圧力センサにより検出された１次圧力をデータのまま媒体に保存し、必要に応じてパーソナルコンピュータ等において流量を得るようにしてもよい。更に、整圧器に通信手段を設置し、マイクロホンにより検出された音波や圧力センサにより検出された１次圧力の電気信号を通信網等を介して監視センター等に設置されたホストコンピュータに送信し、ホストコンピュータあるいはそのホストコンピュータに電気通信回線等を介して接続されたパーソナルコンピュータ等において流量を得るようにしてもよい。このようにすれば、整圧器が設置されている場所まで出向くことなく流量を把握することができる。また、表示部に代えて、ガスの流量を印刷出力あるいは通信出力するような他の装置を用いるようにしてもよい。
【００３３】
更にまた、上記実施の形態では、音波検出手段としてマイクロホン、１次圧力検出手段として圧力センサ、流量演算手段としてマイクロコンピュータをそれぞれ例に挙げて説明したが、他の音波検出手段，１次圧力検出手段および流量演算手段を用いるようにしてもよい。
【００３４】
加えてまた、上記実施の形態では、本発明をレイノルド式ガバナに適用した例について説明したが、本発明は他の方式の整圧器についても適用可能である。更にまた、本発明は、ガス以外の他の流体の流量を計測する場合にも適用することができる。
【００３５】
【発明の効果】
以上説明したように、請求項１ないし請求項６のいずれか１項に記載の整圧器によれば、音波検出手段を備えるようにしたので、下流側管路の圧力を調整するだけでなく、音波検出手段により検出された音波の音圧レベルを利用することにより、簡便に流量計測を行うこともできる。
【００３６】
特に、請求項３記載の整圧器によれば、音波検出手段を整圧部に配設された取り外し可能な蓋体に配設するようにしたので、圧力損失を発生させずに流体の流量を計測することができる。また、配管直し等の大幅な工事費が不要なため経済性にも優れている。
【００３７】
また、請求項４記載の整圧器によれば、更に流量演算手段を備えるようにしたので、流量計測装置としても機能する。
【００３８】
更に、請求項５または請求項６に記載の整圧器によれば、予め求められた、整圧部を流体が通過することにより発生する音波の音圧レベルと流体の流量との相関関係に基づき、音波検出手段により検出された音波の音圧レベルを流量に換算するようにしたので、より高精度に流体の流量を計測することができる。中でも、請求項６記載の整圧器によれば、整圧部を流体が通過することにより発生する音波の周波数毎に予め求められた、上流側管路内の流体の圧力と、音波の音圧レベルと、流体の流量との相関関係に基づき、音波検出手段により検出された音波の音圧レベルを流量に換算するようにしたので、更に高精度に流体の流量を計測することができる。
【００３９】
また、請求項７ないし請求項１１のいずれか１項に記載の流量計測方法によれば、整圧器の内部を流体が通過することにより発生する音波を検出すると共に、検出した音波の音圧レベルに基づき流体の流量を演算するようにしたので、簡便に流体の流量を高精度かつ高いレンジアビリティで計測することができる。
【００４０】
特に、請求項８または請求項９に記載の流量計測方法によれば、予め求められた、整圧器を流体が通過することにより発生する音波の音圧レベルと流体の流量との相関関係に基づき、音波検出手段により検出された音波の音圧レベルを流量に換算するようにしたので、より高精度に流体の流量を計測することができる。中でも、請求項９記載の流量計測方法によれば、整圧器を流体が通過することにより発生する音波の周波数毎に予め求められた、上流側管路内の流体の圧力と、音波の音圧レベルと、流体の流量との相関関係に基づき、音波検出手段により検出された音波の音圧レベルを流量に換算するようにしたので、更に高精度に流体の流量を計測することができる。
【００４１】
また、請求項１１記載の流量計測方法によれば、音波検出手段を取り外し可能な蓋体に配設するようにしたので、圧力損失を発生させずに流体の流量を計測することができる。また、配管直し等の大幅な工事費が不要なため経済性にも優れている。
【図面の簡単な説明】
【図１】本発明の一実施の形態に係る整圧器の要部構成を表す断面図である。
【図２】本発明の一実施の形態に係る整圧器の構成を表すブロック図である。
【図３】図２に示したマイクロホンの配設位置を説明するための斜視図である。
【図４】図１に示したメインガバナを流体が通過することにより発生する音波の音圧レベルと流体の流量との関係を表す特性図である。
【図５】図１に示したメインガバナを流体が通過することにより発生する音波の音圧レベルと流体の流量との関係を１次圧力別に表す特性図である。
【図６】図１に示したメインガバナを流体が通過することにより発生する音波の周波数と音圧レベルとの関係を流量別に表す特性図である。
【図７】従来の流量計測方法の概略を表す図である。
【図８】従来の他の流量計測方法の概略を表す図である。
【符号の説明】
１０…上流側管路（１次側管路）、２０…下流側管路（２次側管路）、３０…メインガバナ、３１…本体、３１Ａ…入口部、３１Ｂ…出口部、３１Ｃ…蓋体、３１Ｄ…穴、３２…トップボール、３３…隔壁、３３Ａ，３３Ｂ…開口部、３４Ａ，３４Ｂ…弁体、３５…弁棒、３６…レバー、４０…マイクロホン、５０…圧力センサ、６０…マイクロコンピュータ、７０…表示部、Ａ…領域、Ｆ…周波数、Ｐ…音圧レベル、Ｑ…流量
【図１】
2004191103.tif 000003
【図２】
2004191103.tif 000004
【図３】
2004191103.tif 000005
【図４】
2004191103.tif 000006
【図５】
2004191103.tif 000007
【図６】
2004191103.tif 000008
【図７】
2004191103.tif 000009
【図８】
2004191103.tif 000010